(57)【要約】【課題】  衣服を長期間掛けておいても衣服の型崩れが生じず、且つ、その組立ても簡単に行なえる紙製ハンガーを提供することを課題とする。【解決手段】  フック部１０，中央部１１，肩掛部１２，肩掛部１３は紙製ハンガーのハンガー本体を構成している。肩掛部１２，１３の上縁部には、折曲線３２，３１を介して肩当て上部板１４，１５が連設されている。折曲肩掛部１６，１７は肩掛部１２，１３と重なるような形状に形成されている。ハンガー本体のフック部１０に折り重なる折曲フック部２２の下側には、折曲肩掛部１６，１７とハンガー本体との間に挟み込まれる形状を有する係止板部２３が設けられている。【選択図】  図２
0003143004.tif 000002
【実用新案登録請求の範囲】
【請求項１】
ダンボールや厚紙等の剛性を有する紙によって形成される紙製ハンガーであって、
フック部の下側に位置する中央部の両側のそれぞれに横方向に延在する肩掛部が形成さ
れているハンガー本体と、
２つの前記肩掛部のそれぞれの上縁部に折曲線を介して連設された所定幅を有する２つ
の肩当て上部板と、
当該２つの肩当て上部板のそれぞれに折曲線を介して連設された２つの折曲肩掛部であ
って、当該２つの折曲肩掛部のそれぞれを前記肩当て上部板の両側の前記折曲線に沿って
折り曲げた際、それぞれの前記折曲肩掛部が前記ハンガー本体の前記肩掛部と重なるよう
な形状を有し、且つ当該折り曲げられた２つの前記折曲肩掛部の前記ハンガー本体の前記
中央部側の側端部が互いに相隣接するような形状を有する２つ折曲肩掛部と、
前記ハンガー本体の前記フック部の上部に形成された補強頂板部と、
該補強頂板部の上部に横方向に延在する折曲線を介して連線され、当該折曲線に沿って
折り曲げた際、前記補強頂板部と前記フック部とに重なる形状を有する折曲補強頂板部お
よび折曲フック部と、
該折曲補強板部および折曲フック部を前記折曲線に沿って折り曲げた際、前記折曲フッ
ク部の下側になるように当該折曲フック部に連設された係止板部であって、当該係止板部
の両側端部の先端部分のそれぞれが、前記２つの折曲肩掛部を折り曲げたとき前記ハンガ
ー本体の肩掛部と前記折曲肩掛部とが重なる領域に重なるような形状に形成された係止板
部とを有することを特徴とする紙製ハンガー。
【請求項２】
前記２つの折曲肩掛部のそれぞれを前記２つの肩当て上部板の両側の前記折曲紙に沿っ
て折り曲げた際、当該２つの折曲肩掛部のそれぞれの下縁部が前記ハンガー本体の下縁部
と接触可能となるように、前記２つの肩当て上部板の前記所定幅は、前記ハンガー本体の
中央部側から肩掛部の側端部に向かって徐徐に狭くなるように選ばれていることを特徴と
する請求項１に記載の紙製ハンガー。
【考案の詳細な説明】
【技術分野】
【０００１】
本考案は、衣服を掛ける紙製ハンガーに関するものである。
【背景技術】
【０００２】
従来から、クリーニング店においては、クリーニング後の衣服の型崩れを防止する目的
で、クリーニング後の衣服は簡易な構成のハンガーに掛けた状態で保存されている。
【０００３】
図６は、このようなクリーニング店で一般的に使用されるハンガーの構成を示したもの
である。図６において、太めの針金で構成されているスチール製ハンガー６０は、フック
部６１と２つの肩掛部６２，６３とによって形成されている。
【０００４】
ここで、近年、環境保護思想が高まってきており、製造から破棄に至るまでの過程にお
ける環境に対する負荷を軽減する観点から、再生紙で構成される厚手のボール紙やダンボ
ール紙によって構成される紙製ハンガーに対する需要が高まってきている。
【０００５】
図７は、このような紙製ハンガーの構成を示した図である。図７（ａ）に示した紙製ハ
ンガー７０は、フック部７１と、フック部の下側に位置する中央部７２と、この中央部７
２の両側のそれぞれに横方向に延在する肩掛部７３，７４とによって形成されている。こ
の図７（ａ）に示した紙製ハンガー７０は、その剛性を高めるために、図７（ｂ）に示し
たように、折曲線７５に対して線対称となるように構成された２枚の紙を折曲線７５に沿
って折り曲げて、接着剤で貼り合わせることによって形成されている。ここで、図７（ａ
）におけるフック部７１と中央部７２と肩掛部７３と肩掛部７４とは、それぞれ図７（ｂ
）におけるフック部７１ａ，７１ｂと中央部７２ａ，７２ｂと肩掛部７３ａ，７３ｂと肩
掛部７４ａ，７４ｂとによって形成されている。
【考案の開示】
【考案が解決しようとする課題】
【０００６】
しかしながら、図７（ａ），（ｂ）に示した従来の紙製ハンガーにおいては、衣服の肩
の部分に当たる紙製ハンガー７０の上縁部の幅が狭いために、クリーニング後の衣服を長
期間この紙製ハンガー７０に掛けて保存した場合には、衣服の肩の部分に山型の折れ線が
生じてしまうことがあった。即ち、従来の紙製ハンガー７０においては、長期間に亘って
衣服を掛けておいた場合、衣服の肩の部分が型崩れしてしまう虞れがあった。
【課題を解決するための手段】
【０００７】
以上の問題点を解消するために、本考案は、ダンボールや厚紙等の剛性を有する紙によ
って形成される紙製ハンガーであって、フック部の下側に位置する中央部の両側のそれぞ
れに横方向に延在する肩掛部が形成されているハンガー本体と、２つの前記肩掛部のそれ
ぞれの上縁部に折曲線を介して連設された所定幅を有する２つの肩当て上部板と、当該２
つの肩当て上部板のそれぞれに折曲線を介して連設された２つの折曲肩掛部であって、当
該２つの折曲肩掛部のそれぞれを前記肩当て上部板の両側の前記折曲線に沿って折り曲げ
た際、それぞれの前記折曲肩掛部が前記ハンガー本体の前記肩掛部と重なるような形状を
有し、且つ当該折り曲げられた２つの前記折曲肩掛部の前記ハンガー本体の前記中央部側
の側端部が互いに相隣接するような形状を有する２つ折曲肩掛部と、前記ハンガー本体の
前記フック部の上部に形成された補強頂板部と、該補強頂板部の上部に横方向に延在する
折曲線を介して連線され、当該折曲線に沿って折り曲げた際、前記補強頂板部と前記フッ
ク部とに重なる形状を有する折曲補強頂板部および折曲フック部と、該折曲補強板部およ
び折曲フック部を前記折曲線に沿って折り曲げた際、前記折曲フック部の下側になるよう
に当該折曲フック部に連設された係止板部であって、当該係止板部の両側端部の先端部分
のそれぞれが、前記２つの折曲肩掛部を折り曲げたとき前記ハンガー本体の肩掛部と前記
折曲肩掛部とが重なる領域に重なるような形状に形成された係止板部とを有することを特
徴とするものである。ここで、前記２つの折曲肩掛部のそれぞれを前記２つの肩当て上部
板の両側の前記折曲紙に沿って折り曲げた際、当該２つの折曲肩掛部のそれぞれの下縁部
が前記ハンガー本体の下縁部と接触可能となるように、前記２つの肩当て上部板の前記所
定幅は、前記ハンガー本体の中央部側から肩掛部の側端部に向かって徐徐に狭くなるよう
に選ばれていてもよい。
【考案の効果】
【０００８】
本考案によれば、衣服を長期間掛けておいても衣服の型崩れが生じず、且つ、その組立
ても簡単に行なえる紙製ハンガーを提供することができる。
【考案を実施するための最良の形態】
【０００９】
以下、図面を用いて本考案の実施例を説明する。
【実施例１】
【００１０】
図１は本考案の実施例１に係る紙製ハンガー１の構成を示す斜視図であり、図２はその
展開図である。この紙製ハンガー１は、厚手のボール紙やダンボール紙等の剛性を有する
紙によって構成されている。
【００１１】
図２において、フック部１０と、そのフック部１０の下側に位置する中央部１１と、中
央部１１の両側のそれぞれに構方向に延在している肩掛部１２，１３とは本実施例１にお
けるハンガー本体を構成している。
【００１２】
肩掛部１２の上縁部には折曲線３２を介して所定幅を有する肩当て上部板１４が連設さ
れており、同様の肩当て上部板１５が肩掛部１３の上縁部に折曲線３１を介して連設され
ている。
【００１３】
肩当て上部板１４には折曲線３４を介して折曲肩掛部１６が連設されており、肩当て上
部板１５には折曲線３３を介して折曲肩掛部１７が連設されている。
【００１４】
肩当て上部板１４の両側の折曲部３２，３４に沿って折り曲げた際、折曲肩掛部１６は
対向するハンガー本体の肩掛部１２と重なるような形状に形成されており、また、同様に
折曲肩掛部１７はハンガー本体の肩掛部１３に重なるような形状に形成されている。さら
に、折曲線３２，３４に沿って折曲肩掛部１６を折り曲げ、折曲線３１，３３に沿って折
曲肩掛部１７を折り曲げた場合、折り曲げられた折曲肩掛部１６，１７の中央部１１側の
側端部が互いに相隣接するような形状に折曲肩掛部１６，１７はそれぞれ形成されている
（図３（ｃ）参照）。
【００１５】
ハンガー本体のフック部１０の上部には、このフック部１０の剛性を高めるための補強
頂板部２０が形状されている。
【００１６】
補強頂板部２０の上部には、折曲線３０を介して、この折曲部３０に沿って折り曲げた
際、補強頂板部２０に重なる折曲補強頂板部２１とフック部１０に重なる折曲フック部２
２とが連設されている。
【００１７】
また、折曲線３０に沿って折曲補強頂板部２１および折曲フック部２２を折り曲げた際
、折曲フック部２２の下側に位置する部分には係止板部２３が形成されている。この係止
板部２３は、その両側端部の先端部分のそれぞれが、折曲肩掛部１６が肩掛部１２に重な
る領域と折曲肩掛部１７が肩掛部１３に重なる領域とに重なるような形状に形成されてい
る（図３（ｃ）参照）。
【００１８】
以上のように構成された本実施例１に係る紙製ハンガー１の組立方法を図３を用いて説
明する。
【００１９】
先ず、図３（ａ）に示した状態から、折曲補強頂板部２１，折曲フック部２２，係止板
部２３を折曲部３０に沿って折り曲げて図３（ｂ）の状態にする。
【００２０】
次に、図３（ｃ）に示すように折曲肩掛部１７を折曲線３１，３３に沿って折り曲げる
。このとき、係止板部２３の側端部の先端部分は、ハンガー本体と折曲肩掛部１７とによ
って挟まれた状態となる。
【００２１】
さらに、折曲線３２，３４に沿って折曲肩掛部１６を折り曲げて、図３（ｄ）の状態に
する。このとき、折曲肩掛部１６，１７の中央部側の側端部は互いに相隣接して位置して
いる。最後に、図３（ｅ）に示したように折曲肩掛部１６，１７の相隣接している部分に
、両方の折曲肩掛部１６，１７に亘るようにシール４０を貼って本実施例１の組立を終了
する。
【００２２】
このように本実施例１においては、折曲肩掛部１６，１７の相隣接する部分を１ケ所シ
ール等で固定するだけで組立てを行なうことができる。
【００２３】
以上のようにして組み立てられた本実施例１においては、衣服の肩の部分が当たる位置
に所定幅を有する肩当て上部板１４，１５が設けられているために、衣服を長期間掛けて
おいても、その衣服が型崩れするようなことはない。
【実施例２】
【００２４】
図４は本考案の実施例２に係る紙ハンガー１の構成を示す展開図である。
【００２５】
本実施例２が先に説明した本実施例１と異なる所は、折曲肩掛部１６，１７を折り曲げ
た際、この折り曲げられた折曲肩掛部１６，１７の下縁部がハンガー本体の下縁部に接触
可能となるように、肩当て上板部１４，１５の所定幅がハンガー本体の中央部１１側から
肩掛部１２，１３の側端部に向って徐徐に狭くなるように選ばれている所である。このよ
うに構成された本実施例２によれば、図５（ａ）に示したように、ハンガー本体の下縁部
に予め接着材４１を塗布しておけば、折曲線３０に沿って折曲フック部２２を折り曲げた
後、折曲肩掛部１６と折曲肩掛部１７とを折り曲げるだけで、図５（ｂ）に示したような
完成品となる組立てを行なうことができる。
【図面の簡単な説明】
【００２６】
【図１】本考案の実施例１の構成を示す斜視図である。
【図２】本考案の実施例１の構成を示す展開図である。
【図３】本考案の実施例１の組立方法の説明図である。
【図４】本考案の実施例２の構成を示す展開図である。
【図５】本考案の実施例２の組立方法の説明図である。
【図６】従来のハンガーの構成を示す構成図である。
【図７】従来のハンガーの構成を示す構成図である。
【符号の説明】
【００２７】
１  紙製ハンガー
１０  フック部
１１  中央部
１２，１３  肩掛部
１４，１５  肩当て上部板
１６，１７  折曲肩掛部
２０  補強頂板部
２１  折曲補強頂板部
２２  折曲フック部
２３  係止板部
３０〜３４  折曲線
４０  シール
４１  接着剤
【図１】
0003143004.tif 000003
【図２】
0003143004.tif 000004
【図３】
0003143004.tif 000005
【図４】
0003143004.tif 000006
【図５】
0003143004.tif 000007
【図６】
0003143004.tif 000008
【図７】
0003143004.tif 000009